(57)【要約】      （修正有）【課題】ステップ部材の運搬性が悪化するのを防止すると共に、大幅なコストアップを招くことを防止することができるプレハブ式階段を提供する。【解決手段】水平に配置される踏み板部４と、垂直に配置される蹴上げ板部６とが一体形成されて、断面が略直角に曲がったステップ部材８が傾斜方向に階段状に並べて配置されるプレハブ式階段２０において、断面を互に対向させて同じ高さに複数のステップ部材８を互に長さ方向に連結して構成した連結ステップ部材２４を各段毎に設けた。【選択図】図２
0003119522.tif 000002
【実用新案登録請求の範囲】
【請求項１】
水平に配置される踏み板部と、垂直に配置される蹴上げ板部とが一体形成されて、断面が略直角に曲がったステップ部材が傾斜方向に階段状に並べて配置されるプレハブ式階段において、
前記断面を互いに対向させて同じ高さに複数の前記ステップ部材を互いに長さ方向に連結して構成した連結ステップ部材を各段毎に設けたことを特徴とするプレハブ式階段。
【請求項２】
前記連結ステップ部材は、互いに隣合う前記踏み板部の端部同士、又は／及び、互いに隣合う前記蹴上げ板部の端部同士を連結して構成したことを特徴とする請求項１に記載のプレハブ式階段。
【請求項３】
前記連結ステップ部材は、ネジ止めする連結板を介して複数の前記ステップ部材を連結して構成したことを特徴とする請求項１又は２に記載のプレハブ式階段。
【請求項４】
前記連結板は、互いに隣合う前記踏み板の両方の端部にわたってこれらの裏面に当接し、又は／及び、互いに隣合う前記蹴上げ板の両方の端部にわたってこれらの裏面に当接してネジ止めされることによりこれらに固定されることを特徴とする請求項３に記載のプレハブ式階段。
【請求項５】
前記連結板は、再生プラスチック製であることを特徴とする請求項３又は４に記載のプレハブ式階段。
【請求項６】
各段の前記連結ステップ部材が、釘状部材を介して傾斜面に固定されたことを特徴とする請求項１ないし５のいずれかに記載のプレハブ式階段。
【請求項７】
各段の前記連結ステップ部材が、傾斜面上の傾斜方向に互いに平行に配置された複数の棒状部材の上に階段状に並べて固定されたことを特徴とする請求項１ないし６のいずれかに記載のプレハブ式階段。
【考案の詳細な説明】
【技術分野】
【０００１】
本考案は、プレハブ式階段に関するものである。
【背景技術】
【０００２】
図７から図９は、従来のプレハブ式階段２（例えば、特許文献１参照）を説明するために参照する図である。このプレハブ式階段２は、例えば山間部における登山道や、工事現場等の傾斜面に簡単に取付けることができる階段として使用される。
【０００３】
プレハブ式階段２は、図７に示すように、踏み板４と蹴上げ板６とが一体形成された合成樹脂製の、複数のステップ部材８が階段状に配置されて、各ステップ部材８の踏み板４の傾斜面７側の側端部が、この上側の隣合うステップ部材８の蹴上げ板６の下側の側端部と連結されるように組立てられている。
【０００４】
ステップ部材８には、図９に示すように、その踏み板４の傾斜面７側の側端部に、上方に高さを有する取付け板部１０が一体的に形成されており、ステップ部材８の上側に配置された別のステップ部材８の蹴上げ板６の下側の側端部が、上記ステップ部材８の踏み板４の踏み面４ａ（上面）に突き当てられると共に、この踏み板４の取付け板部１０の、傾斜面７と反対側の面に当接されている。このとき、釘部材１２が、蹴上げ板６と踏み板４の取付け板部１０を貫通するように打込まれて、ステップ部材８同士が互いに固定されるようになっていた。
【０００５】
そして、各ステップ部材８には、釘部材１２よりも大きな釘のような形状の鋼棒１４（釘状部材）が、踏み板４の踏み面４ａ側から下方に打込まれて貫通しており、この鋼棒１４の先端側が傾斜面７の土中に突き刺さることにより、プレハブ式階段２は傾斜面７上に固定されるようになっていた。
【０００６】
また、図７及び図８に示すように、最下段のステップ部材８が、傾斜面７に沿う方向の土圧や、降雨時の水流の力等を受けて傾斜面７の下流側に移動しないように、地中に打込まれた鋼棒１４よりさらに太い杭１６により強固に固定されていた。
【０００７】
また、プレハブ式階段２の各ステップ部材８は、図８に示すように、一定の長さ寸法で形成されているため、プレハブ式階段２は、ステップ部材８の長さ寸法と同じ長さの幅寸法を有するようになっていた。
【特許文献１】登録実用新案第１７６９９９１号公報
【考案の開示】
【考案が解決しようとする課題】
【０００８】
しかしながら、前記特許文献１に係るプレハブ式階段２にあっては、その使用目的等に応じてその幅寸法（ステップ部材８の長さ方向の寸法）を広げる必要がある場合に、各ステップ部材８の長さ寸法を単に長く形成しようとすると、このステップ部材８が大型化するため、その運搬性が悪化すると共に、長さ寸法が長いステップ部材８を作成するための、大型の金型を用意しなければならないことにより、プレハブ式階段２の大幅なコストアップを招くという問題があった。
【０００９】
そこで本考案は、上記問題点に鑑みて、ステップ部材の運搬性が悪化するのを防止すると共に、大幅なコストアップを招くことを防止することができるプレハブ式階段を提供することを課題とするものである。
【課題を解決するための手段】
【００１０】
上記課題を解決するために本考案は、
水平に配置される踏み板部と、垂直に配置される蹴上げ板部とが一体形成されて、断面が略直角に曲がったステップ部材が傾斜方向に階段状に並べて配置されるプレハブ式階段において、
前記断面を互いに対向させて同じ高さに複数の前記ステップ部材を互いに長さ方向に連結して構成した連結ステップ部材を各段毎に設けたことを特徴とするものである。
【００１１】
また、本考案のプレハブ式階段における前記連結ステップ部材は、互いに隣合う前記踏み板部の端部同士、又は／及び、互いに隣合う前記蹴上げ板部の端部同士を連結して構成したことを特徴とするものである。
【００１２】
また、本考案のプレハブ式階段における前記連結ステップ部材は、ネジ止めする連結板を介して複数の前記ステップ部材を連結して構成したことを特徴とするものである。
【００１３】
また、本考案のプレハブ式階段における前記連結板は、互いに隣合う前記踏み板の両方の端部にわたってこれらの裏面に当接し、又は／及び、互いに隣合う前記蹴上げ板の両方の端部にわたってこれらの裏面に当接してネジ止めされることによりこれらに固定されることを特徴とするものである。
【００１４】
また、本考案のプレハブ式階段における前記連結板は、再生プラスチック製であることを特徴とするものである。
【００１５】
また、本考案によるプレハブ式階段は、各段の前記連結ステップ部材が、釘状部材を介して傾斜面に固定されたことを特徴とするものである。
【００１６】
また、本考案によるプレハブ式階段は、各段の前記連結ステップ部材が、傾斜面上の傾斜方向に互いに平行に配置された複数の棒状部材の上に階段状に並べて固定されたことを特徴とするものである。
【考案の効果】
【００１７】
このような本考案のプレハブ式階段によれば、ステップ部材の運搬性が悪化するのを防止すると共に、大幅なコストアップを招くことを防止することができる。
【考案を実施するための最良の形態】
【００１８】
以下、本考案に係るプレハブ式階段の実施の形態について、図面に基づいて具体的に説明する。
【００１９】
図１ないし図３は、本考案の第１の実施の形態に係るプレハブ式階段２０について説明するために参照する図である。これらの図に示すプレハブ式階段２０は、従来のプレハブ式階段２と同様の部分には同じ符号を付して説明し、従来と同様の構成についての重複する説明は省略するものとする。
【００２０】
本実施の形態に係るプレハブ式階段２０では、図１及び図２に示すように、２つのステップ部材８が、それらの長さ方向に隣合って配置されることにより、それらの踏み板４同士および蹴上げ板６同士が長さ方向に互いに隣合うように並んで配置されている。そして、互いに隣合う２つの踏み板４の端部同士が合成樹脂製の連結板２２を介して連結されている。このような２つのステップ部材８が連結板２２を介して長さ方向に連結されたものを、連結ステップ部材２４ということとする。
【００２１】
連結板２２は、各連結ステップ部材２４における、互いに隣合う２つのステップ部材８の踏み板４の両方の端部にわたってそれらの裏面に当接させ、図３に示すように、ボルト２６とナット２８の締結により踏み板４の両方の端部に固定されている。
【００２２】
このような本実施の形態に係るプレハブ式階段２０によれば、ステップ部材８の運搬性が悪化するのを防止することができると共に、長さ寸法の長いステップ部材８を作成するための大型の金型を用意しなくともプレハブ式階段２０の幅寸法を大きくすることができるので、プレハブ式階段２０の大幅なコストアップを招くことを防止することができる。
【００２３】
次に、図４ないし図６は、本考案の第２の実施の形態に係るプレハブ式階段５０について説明するために参照する図である。前記第１の実施の形態と同様の部分には同じ符号を用いて説明し、同様の構成についての重複する説明は省略するものとする。
【００２４】
本実施の形態に係るプレハブ式階段５０は、図４及び図５に示すように、傾斜面７上に傾斜方向に互いに平行に配置された合成樹脂製の複数の棒状部材５２の上に、複数の連結ステップ部材２４が、棒状部材５２の長さ方向に階段状に並べて固定されている。
【００２５】
各連結ステップ部材２４を構成する各ステップ部材８の踏み板４には、図６に示すように、この上側に別の連結ステップ部材２４が配置される前に、その踏み板４における取付け板部１０の近傍に、釘部材５４が踏み面４ａ側から傾斜面７側に向かって打込まれる。
【００２６】
このようにして、釘部材５４の先端側が、踏み板４の下側の棒状部材５２に突き刺さることにより、連結ステップ部材２４のステップ部材８の踏み板４は棒状部材５２に固定されるようになっている。そして、釘部材５４の頭部は、踏み板４の上側に配置される別の連結ステップ部材２４の蹴上げ板６の下側に隠れて、外部からは見えないようになっている。
【００２７】
このような本考案の第２の実施の形態に係るプレハブ式階段５０によれば、前記第１の実施の形態と同様に、ステップ部材８の運搬性が悪化するのを防止することができると共に、長さ寸法の長いステップ部材８を作成するための大型の金型を用意しなくともプレハブ式階段５０の幅寸法を大きくすることができるので、プレハブ式階段５０の大幅なコストアップを招くことを防止することができる。
【００２８】
また、本実施の形態に係るプレハブ式階段５０によれば、連結ステップ部材２４が、傾斜面７上に傾斜方向に互いに平行に配置された複数の棒状部材５２の上に固定されるようになっていることにより、連結ステップ部材２４が傾斜面７の凹凸の影響を直接受けないので、プレハブ式階段５０の強度、安定性及び組立性を向上させることができる。
【００２９】
なお、前記第１及び第２の実施の形態に係るプレハブ式階段２０，５０では、連結板２２が、各連結ステップ部材２４における、互いに隣合う２つのステップ部材８の踏み板４の各端部同士を連結するようになっていたが、蹴上げ板６の各端部同士を連結するようになっていてもよく、或いは踏み板４と蹴上げ板６の両方の各端部同士を連結するようになっていてもよい。
【００３０】
また、前記第１及び第２の実施の形態に係るプレハブ式階段２０，５０において、それらを構成するステップ部材８、連結板２２及び棒状部材５２は合成樹脂製であったが、特に再生プラスチックを用いるのが好ましい。
【００３１】
また、前記第１及び第２の実施の形態に係るプレハブ式階段２０，５０において、それらを構成する連結ステップ部材２４は２枚のステップ部材８を連結して構成していたが、ステップ部材８を３枚以上連結して構成してもよい。
【図面の簡単な説明】
【００３２】
【図１】本考案の第１の実施の形態に係るプレハブ式階段２０を示す側面図である。
【図２】本考案の第１の実施の形態に係るプレハブ式階段２０を示す平面図である。
【図３】図１に示すプレハブ式階段２０の部分拡大側面図である。
【図４】本考案の第２の実施の形態に係るプレハブ式階段５０を示す側面図である。
【図５】本考案の第２の実施の形態に係るプレハブ式階段５０を示す平面図である。
【図６】図４に示すプレハブ式階段５０の部分拡大側面図である。
【図７】従来のプレハブ式階段２を示す側面図である。
【図８】従来のプレハブ式階段２を示す平面図である。
【図９】図７に示すプレハブ式階段２の部分拡大側面図である。
【符号の説明】
【００３３】
２  プレハブ式階段
４  踏み板
４ａ  踏み面
６  蹴上げ板
７  傾斜面
８  ステップ部材
１０  取付け板部
１２  釘部材
１４  鋼棒
１６  杭
２０  プレハブ式階段
２２  連結板
２４  連結ステップ部材
２６  ボルト
２８  ナット
５０  プレハブ式階段
５２  棒状部材
５４  釘部材
【図１】
0003119522.tif 000003
【図２】
0003119522.tif 000004
【図３】
0003119522.tif 000005
【図４】
0003119522.tif 000006
【図５】
0003119522.tif 000007
【図６】
0003119522.tif 000008
【図７】
0003119522.tif 000009
【図８】
0003119522.tif 000010
【図９】
0003119522.tif 000011